【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ダウンリンク送信のための１つまたは複数のチャネルおよび前記ダウンリンク送信の長さを示すプレ許可送信を受信することと、
ワイヤレスデバイスが、前記プレ許可送信中に示される前記１つまたは複数のチャネルに少なくとも部分的に基づいてリッスンビフォアトーク（ＬＢＴ）プロシージャを実行することと、
前記ＬＢＴプロシージャに少なくとも部分的に基づいてチャネルクリアランス信号を送信することと、
前記プレ許可送信に応答してフィードバック通信を送信すること、前記フィードバック通信は、前記プレ許可送信が受信されたことと、前記１つまたは複数のチャネルのうちのどれが前記ＬＢＴプロシージャに基づいて利用可能かとを示す、と
を備える、方法。
【請求項２】
第１の波形タイプを使用して前記チャネルクリアランス信号を送信することと、
第２の波形タイプを使用して前記フィードバック通信を送信すること、前記第２の波形タイプは、前記第１の波形タイプと異なる、と
をさらに備える、請求項１に記載の方法。
【請求項３】
前記ワイヤレスデバイスの近傍内でＷｉ−Ｆｉ送信機をクリアにするように前記チャネルクリアランス信号の送信電力を選択することと、
前記プレ許可送信を生成した基地局に前記フィードバック通信を送信するように前記フィードバック通信の送信電力を選択することと
をさらに備える、請求項２に記載の方法。
【請求項４】
前記フィードバック通信は、チャネル品質情報（ＣＱＩＵ）をさらに備える、
請求項１に記載の方法。
【請求項５】
各チャネルが占有されていると前記ＬＢＴプロシージャが示すとき、前記チャネルクリアランス信号および前記フィードバック通信の送信をスキップすることをさらに備える、
請求項１に記載の方法。
【請求項６】
定義された時間期間の間１つまたは複数のチャネルについて干渉がないと決定することと、
前記プレ許可送信を中断するインジケーションを送信することと
をさらに備える、請求項１に記載の方法。
【請求項７】
前記フィードバック通信がクリアチャネル免除送信（ＣＥＴ）であると決定することと、
前記ＬＢＴプロシージャをスキップすることと、
前記チャネルクリアランス信号を送信することと、
前記フィードバック通信を送信することと
をさらに備える、請求項１に記載の方法。
【請求項８】
１つまたは複数のチャネルについてチャネルクリアランス信号の電力レベルおよびチャネルクリアランス信号をモニタすることと、
前記モニタされたチャネルクリアランス信号の電力レベルおよびチャネルクリアランス信号において示された時間期間を使用して将来の干渉を推定することと
をさらに備え、前記フィードバック通信を前記送信することは、前記将来の干渉レベルを前記推定することにさらに応答する、
請求項１に記載の方法。
【請求項９】
ワイヤレス通信のための方法であって、
プレ許可送信および肯定応答長さと、無線フレーム送信長さとに少なくとも部分的に基づく長さインジケーションを有するチャネルクリアランス信号を送信することと、
前記プレ許可送信中に示される１つまたは複数のチャネルに少なくとも部分的に基づいてリッスンビフォアトーク（ＬＢＴ）プロシージャを実行するためにワイヤレスデバイスについての、ダウンリンク送信のための前記１つまたは複数のチャネルおよび前記ダウンリンク送信の長さを示す前記プレ許可送信を送信することと、
前記プレ許可送信に応答してフィードバック通信を受信すること、前記フィードバック通信は、前記ＬＢＴプロシージャに基づいて、前記１つまたは複数のチャネルのうちのどれが前記ダウンリンク送信のために利用可能かと、前記プレ許可送信が受信されたこととを示す、と
を備える、方法。
【請求項１０】
前記プレ許可送信は、前記ダウンリンク送信のための２つ以上のチャネルを示し、前記方法は、
前記フィードバック通信に少なくとも部分的に基づいて前記ダウンリンク送信を送信するための前記２つ以上のチャネルのうちの１つまたは複数のチャネルを決定することをさらに備える、
請求項９に記載の方法。
【請求項１１】
前記決定された１つまたは複数のチャネルを使用して前記ダウンリンク送信を送信することをさらに備える、
請求項１０に記載の方法。
【請求項１２】
１つまたは複数のチャネルについて干渉がないと識別することと、
前記プレ許可送信を中断することと
をさらに備える、請求項９に記載の方法。
【請求項１３】
１つまたは複数のチャネルが送信のために利用可能であると、前記プレ許可送信を受信する１つまたは複数のワイヤレスデバイスが示さないと決定することと
１つまたは複数の異なるワイヤレスデバイスを対象とした新しいプレ許可送信を開始することと
をさらに備える、請求項９に記載の方法。
【請求項１４】
ワイヤレス通信のための装置であって、
ダウンリンク送信のための１つまたは複数のチャネルおよび前記ダウンリンク送信の長さを示すプレ許可送信を受信するための手段と、
ワイヤレスデバイスが、前記プレ許可送信中に示される前記１つまたは複数のチャネルに少なくとも部分的に基づいてリッスンビフォアトーク（ＬＢＴ）プロシージャを実行するための手段と、
前記ＬＢＴプロシージャに少なくとも部分的に基づいてチャネルクリアランス信号を送信するための手段と、
前記プレ許可送信に応答してフィードバック通信を送信するための手段、前記フィードバック通信は、前記プレ許可送信が受信されたことと、前記１つまたは複数のチャネルのうちのどれが前記ＬＢＴプロシージャに基づいて利用可能かとを示す、と
を備える、装置。
【請求項１５】
ワイヤレス通信のための装置であって、
プレ許可送信および肯定応答長さと、無線フレーム送信長さとに少なくとも部分的に基づく長さインジケーションを有するチャネルクリアランス信号を送信するための手段と、
前記プレ許可送信中に示される１つまたは複数のチャネルに少なくとも部分的に基づいてリッスンビフォアトーク（ＬＢＴ）プロシージャを実行するためにワイヤレスデバイスについての、ダウンリンク送信のための前記１つまたは複数のチャネルおよび前記ダウンリンク送信の長さを示す前記プレ許可送信を送信するための手段と、
前記プレ許可送信に応答してフィードバック通信を受信するための手段、前記フィードバック通信は、前記ＬＢＴプロシージャに基づいて、前記１つまたは複数のチャネルのうちのどれが前記ダウンリンク送信のために利用可能かと、前記プレ許可送信が受信されたこととを示す、と
を備える、装置。
【手続補正２】
【補正対象書類名】明細書
【補正対象項目名】０１３２
【補正方法】変更
【補正の内容】
【０１３２】
[0142]本明細書での説明は、当業者が本開示を製造または使用することを可能にするために提供される。本開示への様々な修正は、当業者にとって容易に明らかになり、本明細書で定義された一般的な原理は、本開示の範囲から逸脱することなく、他のバリエーションに適用されうる。したがって、本開示は、本明細書で説明されている例および設計に限定されることになっておらず、本明細書で開示されており原理および新規な特徴と一致する最も広い範囲を与えられることとなる。
以下に、本願出願の当初の特許請求の範囲に記載された発明を付記する。
［Ｃ１］
ワイヤレス通信のための方法であって、
ワイヤレスデバイスが、リッスンビフォアトーク（ＬＢＴ）プロシージャを実行することと、
ダウンリンク送信のための１つまたは複数のチャネルおよび前記ダウンリンク送信の長さを示すプレ許可送信を受信することと、
前記ＬＢＴプロシージャに少なくとも部分的に基づいてチャネルクリアランス信号を送信することと、
前記プレ許可送信に応答してフィードバック通信を送信すること、前記フィードバック通信は、前記プレ許可送信が受信されたことと、前記１つまたは複数のチャネルのうちのどれが前記ＬＢＴプロシージャに基づいて利用可能かとを示す、と
を備える、方法。
［Ｃ２］
第１の波形タイプを使用して前記チャネルクリアランス信号を送信することと、
第２の波形タイプを使用して前記フィードバック通信を送信すること、前記第２の波形タイプは、前記第１の波形タイプと異なる、と
をさらに備える、［Ｃ１］に記載の方法。
［Ｃ３］
前記第１の波形タイプは、Ｗｉ−Ｆｉ波形であり、前記第２の波形タイプは、直交周波数分割多重（ＯＦＤＭ）波形である、
［Ｃ２］に記載の方法。
［Ｃ４］
前記ワイヤレスデバイスの近傍内でＷｉ−Ｆｉ送信機をクリアにするように前記チャネルクリアランス信号の送信電力を選択することと、
前記プレ許可送信を生成した基地局に前記フィードバック通信を送信するように前記フィードバック通信の送信電力を選択することと
をさらに備える、［Ｃ２］に記載の方法。
［Ｃ５］
前記チャネルクリアランス信号の前記送信電力は、前記ワイヤレスデバイスの前記近傍のエリアまたは前記ダウンリンク送信のチャネル品質要求のうちの１つまたは複数に基づいて選択される、
［Ｃ４］に記載の方法。
［Ｃ６］
前記ダウンリンク送信を受信することをさらに備える、
［Ｃ１］に記載の方法。
［Ｃ７］
前記プレ許可送信は、２つ以上のチャネルを示し、前記ダウンリンク送信は、前記プレ許可送信において示された前記チャネルのすべてよりも少ないチャネル上で受信される、
［Ｃ６］に記載の方法。
［Ｃ８］
前記ダウンリンク送信は、チャネル割り当ておよびダウンリンクデータを示すダウンリンク許可を備える、
［Ｃ７］に記載の方法。
［Ｃ９］
前記フィードバック通信は、チャネル品質情報（ＣＱＩＵ）をさらに備える、
［Ｃ１］に記載の方法。
［Ｃ１０］
各チャネルが占有されていると前記ＬＢＴプロシージャが示すとき、前記チャネルクリアランス信号および前記フィードバック通信の送信をスキップすることをさらに備える、
［Ｃ１］に記載の方法。
［Ｃ１１］
定義された時間期間の間１つまたは複数のチャネルについて干渉がないと決定することと、
前記プレ許可送信を中断するインジケーションを送信することと
をさらに備える、［Ｃ１］に記載の方法。
［Ｃ１２］
前記フィードバック通信がクリアチャネル免除送信（ＣＥＴ）であると決定することと、
前記ＬＢＴプロシージャをスキップすることと、
前記チャネルクリアランス信号を送信することと、
前記フィードバック通信を送信することと
をさらに備える、［Ｃ１］に記載の方法。
［Ｃ１３］
１つまたは複数のチャネルについてチャネルクリアランス信号の電力レベルおよびチャネルクリアランス信号をモニタすることと、
前記モニタされたチャネルクリアランス信号の電力レベルおよびチャネルクリアランス信号において示された時間期間を使用して将来の干渉を推定することと
をさらに備え、前記フィードバック通信を前記送信することは、前記将来の干渉レベルを前記推定することにさらに応答する、
［Ｃ１］に記載の方法。
［Ｃ１４］
前記モニタすることは、Ｗｉ−Ｆｉプリアンブルをモニタすることを備え、前記推定することは、前記Ｗｉ−Ｆｉプリアンブルに関連付けられた長さ情報および干渉レベルをアグリゲートすることを備える、
［Ｃ１３］に記載の方法。
［Ｃ１５］
前記ＬＢＴプロシージャは、前記プレ許可送信を受信した後に実行され、前記プレ許可送信において示された前記１つまたは複数のチャネルに少なくとも部分的に基づく、
［Ｃ１］に記載の方法。
［Ｃ１６］
前記ＬＢＴプロシージャを実行することは、前記プレ許可送信を受信する前に実行され、前記方法は、
前記ワイヤレスデバイスが、１つまたは複数のチャネルが送信のために利用可能かどうか決定するために共有無線周波数スペクトル帯域における前記１つまたは複数のチャネルを周期的にポーリングすることをさらに備える、
［Ｃ１］に記載の方法。
［Ｃ１７］
ワイヤレス通信のための方法であって、
プレ許可送信および肯定応答長さと、無線フレーム送信長さとに少なくとも部分的に基づく長さインジケーションを有するチャネルクリアランス信号を送信することと、
ダウンリンク送信のための１つまたは複数のチャネルおよび前記ダウンリンク送信の長さを示す前記プレ許可送信を送信することと、
前記プレ許可送信に応答してフィードバック通信を受信すること、前記フィードバック通信は、前記プレ許可送信が受信されたことと、前記１つまたは複数のチャネルのうちのどれが前記ダウンリンク送信のために利用可能かとを示す、と
を備える、方法。
［Ｃ１８］
前記チャネルクリアランス信号は、第１の波形タイプを有し、前記プレ許可送信は、前記第１の波形タイプと異なる第２の波形タイプを有する、
［Ｃ１７］に記載の方法。
［Ｃ１９］
前記第１の波形タイプは、Ｗｉ−Ｆｉ波形であり、前記第２の波形タイプは、直交周波数分割多重（ＯＦＤＭ）波形である、
［Ｃ１８］に記載の方法。
［Ｃ２０］
前記プレ許可送信は、前記ダウンリンク送信のための２つ以上のチャネルを示し、前記方法は、
前記フィードバック通信に少なくとも部分的に基づいて前記ダウンリンク送信を送信するための前記２つ以上のチャネルのうちの１つまたは複数のチャネルを決定することをさらに備える、
［Ｃ１７］に記載の方法。
［Ｃ２１］
前記決定された１つまたは複数のチャネルを使用して前記ダウンリンク送信を送信することをさらに備える、
［Ｃ２０］に記載の方法。
［Ｃ２２］
前記ダウンリンク送信は、前記プレ許可送信において示された前記チャネルのすべてよりも少ないチャネル上で送信される、
［Ｃ１７］に記載の方法。
［Ｃ２３］
前記フィードバック通信は、複数のユーザ機器（ＵＥ）デバイスから受信され、前記ダウンリンク送信は、前記フィードバック通信を送信した前記ＵＥデバイスのすべてより少ないＵＥデバイスに送信される、
［Ｃ１７］に記載の方法。
［Ｃ２４］
前記フィードバック通信は、チャネル品質情報（ＣＱＩ）をさらに備える、
［Ｃ１７］に記載の方法。
［Ｃ２５］
前記ＣＱＩに少なくとも部分的に基づいて前記ダウンリンク送信のための変調およびコーディングスキーム（ＭＣＳ）を決定することをさらに備える、
［Ｃ２４］に記載の方法。
［Ｃ２６］
１つまたは複数のチャネルについて干渉がないと識別することと、
前記プレ許可送信を中断することと
をさらに備える、［Ｃ１７］に記載の方法。
［Ｃ２７］
前記干渉がないと前記識別することは、
定義された時間期間の間干渉がないことを示す、ワイヤレスデバイスからの通信を受信することをさらに備える
［Ｃ２６］に記載の方法。
［Ｃ２８］
１つまたは複数のチャネルが送信のために利用可能であると、前記プレ許可送信を受信する１つまたは複数のユーザ機器（ＵＥ）が示さないと決定することと
１つまたは複数の異なるＵＥを対象とした新しいプレ許可送信を開始することと
をさらに備える、［Ｃ１７］に記載の方法。
［Ｃ２９］
ワイヤレス通信のための装置であって、
ワイヤレスデバイスが、リッスンビフォアトーク（ＬＢＴ）プロシージャを実行するための手段と、
ダウンリンク送信のための１つまたは複数のチャネルおよび前記ダウンリンク送信の長さを示すプレ許可送信を受信するための手段と、
前記ＬＢＴプロシージャに少なくとも部分的に基づいてチャネルクリアランス信号を送信するための手段と、
前記プレ許可送信に応答してフィードバック通信を送信するための手段、前記フィードバック通信は、前記プレ許可送信が受信されたことと、前記１つまたは複数のチャネルのうちのどれが前記ＬＢＴプロシージャに基づいて利用可能かとを示す、と
を備える、装置。
［Ｃ３０］
第１の波形タイプを使用して前記チャネルクリアランス信号を送信するための手段と、
第２の波形タイプを使用して前記フィードバック通信を送信するための手段、前記第２の波形タイプは、前記第１の波形タイプと異なる、と
をさらに備える、［Ｃ２９］に記載の装置。
［Ｃ３１］
前記第１の波形タイプは、Ｗｉ−Ｆｉ波形であり、前記第２の波形タイプは、直交周波数分割多重（ＯＦＤＭ）波形である、
［Ｃ３０］に記載の装置。
［Ｃ３２］
前記ワイヤレスデバイスの近傍内のＷｉ−Ｆｉ送信機をクリアにするように前記チャネルクリアランス信号の送信電力を選択するための手段と、
前記プレ許可送信を生成した基地局に前記フィードバック通信を送信するように前記フィードバック通信の送信電力を選択するための手段と
をさらに備える、［Ｃ３０］に記載の装置。
［Ｃ３３］
前記チャネルクリアランス信号の前記送信電力は、前記ワイヤレスデバイスの前記近傍のエリアまたは前記ダウンリンク送信のチャネル品質要求のうちの１つまたは複数に基づいて選択される、
［Ｃ３２］に記載の装置。
［Ｃ３４］
前記ダウンリンク送信を受信するための手段をさらに備える、
［Ｃ２９］に記載の装置。
［Ｃ３５］
前記プレ許可送信は、２つ以上のチャネルを示し、前記ダウンリンク送信は、前記プレ許可送信において示された前記チャネルのすべてよりも少ないチャネル上で受信される、
［Ｃ３４］に記載の装置。
［Ｃ３６］
前記ダウンリンク送信は、チャネル割り当ておよびダウンリンクデータを示すダウンリンク許可を備える、
［Ｃ３５］に記載の装置。
［Ｃ３７］
前記フィードバック通信は、チャネル品質情報（ＣＱＩ）をさらに備える、
［Ｃ２９］に記載の装置。
［Ｃ３８］
各チャネルが占有されていると前記ＬＢＴプロシージャが示すとき、前記チャネルクリアランス信号および前記フィードバック通信の送信をスキップするための手段をさらに備える、
［Ｃ２９］に記載の装置。
［Ｃ３９］
定義された時間期間の間１つまたは複数のチャネルについて干渉がないと決定するための手段と、
前記プレ許可送信を中断するインジケーションを送信するための手段と
をさらに備える、［Ｃ２９］に記載の装置。
［Ｃ４０］
前記フィードバック通信がクリアチャネル免除送信（ＣＥＴ）であると決定するための手段と、
前記ＬＢＴプロシージャをスキップするための手段と、
前記チャネルクリアランス信号を送信するための手段と、
前記フィードバック通信を送信するための手段と
をさらに備える、［Ｃ２９］に記載の装置。
［Ｃ４１］
１つまたは複数のチャネルについてチャネルクリアランス信号の電力レベルおよびチャネルクリアランス信号をモニタするための手段と、
前記モニタされたチャネルクリアランス信号の電力レベルおよびチャネルクリアランス信号において示された時間期間を使用して将来の干渉を推定するための手段と
をさらに備え、前記フィードバック通信を前記送信するための手段は、前記将来の干渉レベルを前記推定することにさらに応答する、
［Ｃ２９］に記載の装置。
［Ｃ４２］
前記モニタするための手段は、Ｗｉ−Ｆｉプリアンブルをモニタするための手段を備え、前記推定するための手段は、前記Ｗｉ−Ｆｉプリアンブルに関連付けられた長さ情報および干渉レベルをアグリゲートするための手段を備える、
［Ｃ４１］に記載の装置。
［Ｃ４３］
前記ＬＢＴプロシージャは、前記プレ許可送信を受信した後に実行され、前記プレ許可送信において示された前記１つまたは複数のチャネルに少なくとも部分的に基づく、
［Ｃ２９］に記載の装置。
［Ｃ４４］
前記ＬＢＴプロシージャを前記実行するための手段は、
前記プレ許可送信を受信する前に実行される前記ＬＢＴプロシージャを実行するための手段と、
前記ワイヤレスデバイスが、１つまたは複数のチャネルが送信のために利用可能かどうか決定するために共有無線周波数スペクトル帯域における前記１つまたは複数のチャネルを周期的にポーリングするための手段をさらに備える、
［Ｃ２９］に記載の装置。
［Ｃ４５］
ワイヤレス通信のための装置であって、
プレ許可送信および肯定応答長さと、無線フレーム送信長さとに少なくとも部分的に基づく長さインジケーションを有するチャネルクリアランス信号を送信するための手段と、
ダウンリンク送信のための１つまたは複数のチャネルおよび前記ダウンリンク送信の長さを示す前記プレ許可送信を送信するための手段と、
前記プレ許可送信に応答してフィードバック通信を受信するための手段、前記フィードバック通信は、前記プレ許可送信が受信されたことと、前記１つまたは複数のチャネルのうちのどれが前記ダウンリンク送信のために利用可能かとを示す、と
を備える、装置。
［Ｃ４６］
前記チャネルクリアランス信号は、第１の波形タイプを有し、前記プレ許可送信は、前記第１の波形タイプと異なる第２の波形タイプを有する、
［Ｃ４５］に記載の装置。
［Ｃ４７］
前記第１の波形タイプは、Ｗｉ−Ｆｉ波形であり、前記第２の波形タイプは、直交周波数分割多重（ＯＦＤＭ）波形である、
［Ｃ３０］に記載の装置。
［Ｃ４８］
前記プレ許可送信は、前記ダウンリンク送信のための２つ以上のチャネルを示し、前記装置は、
前記フィードバック通信に少なくとも部分的に基づいて前記ダウンリンク送信を送信するための前記２つ以上のチャネルのうちの１つまたは複数のチャネルを決定するための手段をさらに備える、
［Ｃ４５］に記載の装置。
［Ｃ４９］
前記決定された１つまたは複数のチャネルを使用して前記ダウンリンク送信を送信するための手段をさらに備える、
［Ｃ４８］に記載の装置。
［Ｃ５０］
前記ダウンリンク送信は、前記プレ許可送信において示された前記チャネルのすべてよりも少ないチャネル上で送信される、
［Ｃ４５］に記載の装置。
［Ｃ５１］
前記フィードバック通信は、複数のユーザ機器（ＵＥ）デバイスから受信され、前記ダウンリンク送信は、前記フィードバック通信を送信した前記ＵＥデバイスのすべてより少ないＵＥデバイスに送信される、
［Ｃ４５］に記載の装置。
［Ｃ５２］
前記フィードバック通信は、チャネル品質情報（ＣＳＩ）をさらに備える、
［Ｃ４５］に記載の装置。
［Ｃ５３］
前記ＣＱＩに少なくとも部分的に基づいて前記ダウンリンク送信のための変調およびコーディングスキーム（ＭＣＳ）を決定するための手段をさらに備える、
［Ｃ５２］に記載の装置。
［Ｃ５４］
１つまたは複数のチャネルについて干渉がないと識別するための手段と、
前記プレ許可送信を中断するための手段と
をさらに備える、［Ｃ４５］に記載の装置。
［Ｃ５５］
前記干渉がないことを前記識別するための手段は、
定義された時間期間の間干渉がないことを示す、ワイヤレスデバイスからの通信を受信するための手段をさらに備える、
［Ｃ５４］に記載の装置。
［Ｃ５６］
１つまたは複数のチャネルが送信のために利用可能であると、前記プレ許可送信を受信する１つまたは複数のユーザ機器（ＵＥ）が示さないと決定するための手段と
１つまたは複数の異なるＵＥを対象とした新しいプレ許可送信を開始するための手段と
をさらに備える、［Ｃ４５］に記載の装置。
［Ｃ５７］
ワイヤレスデバイスにおける通信のための装置であって、
プロセッサと、
前記プロセッサと電子通信状態にあるメモリと、
前記メモリ中に記憶された命令と
を備え、前記命令は、
ワイヤレスデバイスが、リッスンビフォアトーク（ＬＢＴ）プロシージャを実行することと、
ダウンリンク送信のための１つまたは複数のチャネルおよび前記ダウンリンク送信の長さを示すプレ許可送信を受信することと、
前記ＬＢＴプロシージャに少なくとも部分的に基づいてチャネルクリアランス信号を送信することと、
前記プレ許可送信に応答してフィードバック通信を送信すること、前記フィードバック通信は、前記プレ許可送信が受信されたことと、前記１つまたは複数のチャネルのうちのどれが前記ＬＢＴプロシージャに基づいて利用可能かとを示す、と
を行うように前記プロセッサによって実行可能である、装置。
［Ｃ５８］
ワイヤレスデバイスにおける通信のための装置であって、
プロセッサと、
前記プロセッサと電子通信状態にあるメモリと、
前記メモリ中に記憶された命令と
を備え、前記命令は、
プレ許可送信および肯定応答長さと、無線フレーム送信長さとに少なくとも部分的に基づく長さインジケーションを有するチャネルクリアランス信号を送信することと、
ダウンリンク送信のための１つまたは複数のチャネルおよび前記ダウンリンク送信の長さを示す前記プレ許可送信を送信することと、
前記プレ許可送信に応答してフィードバック通信を受信すること、前記フィードバック通信は、前記プレ許可送信が受信されたことと、前記１つまたは複数のチャネルのうちのどれが前記ダウンリンク送信のために利用可能かとを示す、と
を行うように前記プロセッサによって実行可能である、装置。